(57)【要約】【課題】本発明は、カードホルダーをホルダー取付バーから取り外し難くし、悪意のある商品取り出しを思い止まらせることができるフック用カードホルダーを得る。【解決手段】商品陳列用のフック１のカードホルダー５を、ホルダー取付バー４Ａの上向き先端部分に圧入する角度付き挿入孔９を少なくとも１個設けた取付ピース７と、取付ピースをコの字状に包囲するよう底面が開放し、ホルダー取付バーの軸線方向に延在する取付ピース包囲部分１０Ａ、この取付ピース包囲部分に直交するよう連結したカード保持プレート部分１０Ｂとよりなり、取付ピース７に対して枢軸１３によって回動自在に連結したカードキャリヤ１０と、カードキャリヤ１０を下向きに回動させ、このカードキャリヤ５の取付ピース包囲部分１０Ａを取付ピース７の上面に圧着させるばね負荷を付与するよう枢軸１３の周りに装着したねじりばね１４とにより構成する。【選択図】図４
2005261790.tif 000002
【特許請求の範囲】
【請求項１】
商品パッケージを吊るす商品ハンガーバーと、価格表示および／または商品説明カードを収納するカードホルダーを取り付けるホルダー取付バーとを有するフックにおいて、
前記カードホルダーを、前記ホルダー取付バーの上向き先端部分に圧入する角度付き挿入孔を少なくとも１個設けた取付ピースと、
前記取付ピースをコの字状に包囲するよう底面が開放し、ホルダー取付バーの軸線方向に延在する取付ピース包囲部分、この取付ピース包囲部分に直交するよう連結したカード保持プレート部分とよりなり、
前記取付ピースに対して枢軸によって回動自在に連結したカードキャリヤと、
前記カードキャリヤを下向きに回動させ、このカードキャリヤの取付ピース包囲部分を前記取付ピースの上面に圧着させるばね負荷を付与するよう前記枢軸の周りに装着したねじりばねとにより構成したことを特徴とするフック用カードホルダー。
【請求項２】
前記カードキャリヤのカード保持プレート部分を、前記商品ハンガーバーが通過する切欠きを除いて下側端縁が下方の商品ハンガーバーよりも下方に位置する寸法および形状にした請求項１記載のフック用カードホルダー。
【請求項３】
前記カードキャリヤのカード保持プレート部分の前面に、上下２段にそれぞれ個別のカードを挿入する透明ポケットを有する構成とした請求項１または２記載のフック用カードホルダー。
【請求項４】
前記取付ピースに、前記ホルダー取付バーの軸線に沿って順次に設けた３個の角度付き挿入孔を設けた請求項１乃至３のうちのいずれか一項に記載のフック用カードホルダー。
【発明の詳細な説明】
【技術分野】
【０００１】
本発明は、商品陳列用のハンガーに引っ掛けて使用するフックであって、下方の商品ハンガーバーに商品パッケージを吊るし、上方のホルダー取付バーに商品の価格等を表示するカードを保持するフック用カードホルダーに関するものである。
【背景技術】
【０００２】
このようなカードホルダーを具備したフックとしては、Ｕ字状の部材であって、Ｕ字の上端に、商品陳列用ハンガーネットに引っ掛ける１対のフックを有するベース部材と、このベース部材の平面に対して直交するよう連結した横向きＵ字状の支持部材であって、上方のＵ字の脚が価格表示および／または商品説明カードを収納するカードホルダーを取り付けるホルダー取付バー、下方のＵ字の脚が商品パッケージを吊るす商品ハンガーバーであり、各バーの先端部分が上向きに折れ曲がったダブルバー支持部材とを具えるものがある（例えば、非特許文献１参照）。
【非特許文献１】大阪陳列（株）、「＃ネットフック＆カゴ  タイプ３」、［online］、［平成１６年２月２８日検索］、＜ＵＲＬ：http://www.chinretu.co.jp/f_ah_2.htm＞
【発明の開示】
【発明が解決しようとする課題】
【０００３】
従来のこの種フックは、商品の取り出しを容易にするため、カードホルダーをホルダー取付バーから簡単に取り外すことができるようにし、また、カードホルダーの下端と下方の商品ハンガーバーとの間の間隔を広めにしている。しかし、商品の取り出しが容易であることは、盗難の被害を受け易くなるという問題がある。
【０００４】
従って、本発明は、カードホルダーをホルダー取付バーから取り外し難くし、悪意のある商品取り出しを思い止まらせることができる商品陳列用のフック用カードホルダーを得ることを目的とする。
【課題を解決するための手段】
【０００５】
この目的を達成するため、本発明に係るフック用カードホルダーは、カードホルダーを、ホルダー取付バーの上向き先端部分に圧入する角度付き挿入孔を少なくとも１個設けた取付ピースと、取付ピースをコの字状に包囲するよう底面が開放し、ホルダー取付バーの軸線方向に延在する取付ピース包囲部分、この取付ピース包囲部分に直交するよう連結したカード保持プレート部分よりなり、前記取付ピースに対して枢軸によって回動自在に連結したカードキャリヤと、カードキャリヤを上向きに回動させ、このカードキャリヤの取付ピース包囲部分を取付ピースの上面に圧着させるばね負荷を付与するよう枢軸の周りに装着したねじりばねとにより構成したことを特徴とする。
【発明の効果】
【０００６】
本発明によれば、取付ピースとカードキャリヤとの間で枢軸の周りに装着したねじりばねは、カードキャリヤを下向きに回動させ、このカードキャリヤの取付ピース包囲部分を取付ピースの上面に圧着させるばね負荷を付与し、この圧着によって、カードキャリヤの回動が停止する。これにより、カードキャリヤは垂直方向に指向し、カードが見やすくなる。
【０００７】
更に、ねじりばねは、単にカードキャリヤを下向きに回動させるだけでなく、取付ピースをホルダー取付バーに対して押し付ける作用も行い、従って、カードキャリヤをホルダー取付バーから外し難くする。
【発明を実施するための最良の形態】
【０００８】
本発明の好適な実施例においては、カードキャリヤのカード保持プレート部分を、商品ハンガーバーが通過する切欠きを除いて下側端縁が下方の商品ハンガーバーよりも下方に位置する寸法および形状にする。この実施例の場合、カード保持プレート部分が商品ハンガーバーに対するアクセスを遮断する。商品の出し入れの際には、ねじりばねのばね力に抗して、カード保持プレート部分を押し込むことにより商品ハンガーバーに対して商品の出し入れのための空間を生ずる。この動作が必要であることは、悪意のある商品取り出しを思い止まらせる心理的抑止効果をもたらす。
【０００９】
また、本発明の好適な実施例においては、カードキャリヤのカード保持プレート部分の前面に、上下２段にそれぞれ個別のカードを挿入する透明ポケットを有する構成とする。この構成によれば、単に価格を表示するだけでなく、訴求力のあるキャッチコピー、商品説明等の情報も表示できるようになる。
【００１０】
更に、本発明の好適な実施例においては、取付ピースに、ホルダー取付バーの軸線に沿って順次に設けた３個の角度付き挿入孔を設ける。この構成によれば、カード保持プレート部分の取付位置を好みの位置に変更することができる。
【００１１】
次に、図面につき、本発明の好適な実施例を詳細に示す。
【実施例１】
【００１２】
図１は、本発明の好適な実施例の商品陳列用のフック１を示す。このフック１は、商品陳列用ハンガーネット２に引っ掛ける１対のフック３Ａを設けたＵ字状のベース部材３を有する。このベース部材３の平面に対して直交するようＵ字状のダブルバー支持部材４を横向きに連結する。
【００１３】
ダブルバー支持部材４のＵ字の上方脚は、価格表示および／または商品説明カードを収納するカードホルダー５を取り付けるホルダー取付バー４Ａとする。Ｕ字の下方脚は、商品パッケージ６を吊るす商品ハンガーバー４Ｂとする。各バー４Ａ，４Ｂの先端部分は僅かに上向きに折り曲げる。
【００１４】
本発明によれば、カードホルダー５は、ホルダー取付バー４Ａの上向き先端部分に圧入する角度付き挿入孔を少なくとも１個設けた取付ピース７を有する。図２に示す実施例では、取付ピース７は、本体部分７Ａから前方に突出する二股アーム部８と、本体部分７Ａから下向きテーパ面を経て後方に突出するテール部７Ｂとを有し、プラスチック材料により一体に形成する。
【００１５】
図２の実施例では、本体部分７Ａおよびテール部７Ｂにかけて、ホルダー取付バー４Ａの上向き先端部分に圧入する１個の角度付き挿入孔９を設ける。この挿入孔９は、本体部分７Ａの頂面に設けた開口９Ａと、テール部７Ｂに設けた下方が開口した開口９Ｂと、開口９Ａ，９Ｂ間における傾斜した溝孔空間９Ｃとよりなる。このような角度付き挿入孔９に沿ってホルダー取付バー４Ａの上向きに傾斜した先端部分を圧入して固定する。更に、取付ピース７の本体部分７Ａの先端部分に枢軸１３が嵌入する取付軸７を設ける。
【００１６】
更に、本発明によれば、カードホルダー５は、図３に示すようなカードキャリヤ１０を有する。図示の実施例では、カードホルダー５は、取付ピース７をコの字状に包囲するよう底面が開放し、ホルダー取付バー４Ａの軸線方向に延在する取付ピース包囲部分１０Ａと、この取付ピース包囲部分に直交するよう連結したカード保持プレート部分１０Ｂとにより構成する。
【００１７】
取付ピース包囲部分１０Ａには、取付ピース７の隆起した本体部分７Ａの頂面から突出するホルダー取付バー４Ａの上向き先端部分が突出できる開口１１を設け、また、取付ピース包囲部分１０Ａの内面が取付ピース７の頂面に掛合することができるようにする。更に，カード保持プレート部分１０Ｂの下端縁には少なくとも中央部分に切欠き１２Ａを設ける。
【００１８】
更に、図示の実施例は中央部の切欠き１２Ａの他に、その両側に１対の切欠き１２Ｂを設ける。中央の切欠き１２Ａは、１本バータイプの商品ハンバーガーを有するフックにおける商品ハンガーバー４Ｂが通過できるためのものであり、中央の切欠き１２Ａの両側の１対の切欠き１２Ｂは、２本バータイプの商品ハンガーバー（図示せず）を有するフックの商品ハンガーバーが通過できるようにするためのものである。このように、本発明によれば、商品ハンガーバーが通過する切欠きを除いて下側端縁が下方の商品ハンガーバー４
Ｂよりも下方に位置する寸法および形状にする。
【００１９】
本発明によれば、図４に示すように、カードキャリヤ１０の取付ピース包囲部分１０Ａが取付ピース７を包囲する。そして、枢軸１３を前記した取付ピース７の取付軸７Ｃに嵌入し、この状態で、枢軸１３を取付ピース７とカードキャリア１０に貫通させる。これによって、この枢軸１３の周りには、カードキャリヤ１０を下向きに回動させ、このカードキャリヤ１０の取付ピース包囲部分１０Ａを取付ピース７の上面に圧着させるばね負荷を付与するねじりばね１４を装着する。このため、ねじりばね１４の一方の延長脚を取付ピース７に掛合させ、他方の延長脚をカードキャリヤ１０のカード保持プレート部分１０Ｂの内側面に掛合させる。
【００２０】
取付ピース７とカードキャリヤ１０との間で枢軸１３の周りに装着したねじりばね１４は、カードキャリヤ１０を下向きに回動させ、このカードキャリヤ１０の取付ピース包囲部分１０Ａを取付ピース７の上面に圧着してカードキャリヤ１０の回動が停止する。カードキャリヤのカード保持プレート部分１０Ｂは、商品ハンガーバー４Ｂが通過する切欠き１２Ａまたは１２ボールを除いて下側端縁が下方の商品ハンガーバーよりも下方に位置する寸法および形状であるため、このカード保持プレート部分１０Ｂは、商品ハンガーバーに対するアクセスを遮断する。商品の出し入れの際には、ねじりばね１４のばね力に抗して、矢印Ｐの方向に回動させ、カード保持プレート部分１０Ｂを押し込むことにより商品ハンガーバーに対して商品の出し入れのための空間を生ずる。
【００２１】
本発明の好適な実施例においては、図１および図４（ｄ）に示すように、カードキャリヤ１０のカード保持プレート部分１０Ｂの前面に、上下２段にそれぞれ個別のカードを挿入する透明ポケット１５Ａ、１５Ｂを設ける。透明ポケット１５Ａ、１５Ｂの上端縁にはカードを出し入れし易くする円弧状の切欠き１６Ａ、１６Ｂを設ける。
【実施例２】
【００２２】
図５に本発明の第２実施例としてのカードホルダー５を示す。この第２の実施例では、取付ピース１７の軸線方向長さを長くし、取付ピース１７に、ホルダー取付バー４Ａの軸線に沿って順次に設けた３個の角度付き挿入孔１９を設ける。この実施例では、挿入孔１９は、第１の実施例の図２に示す挿入孔９と同じように、下方が開放した溝孔１９Ａ、１９Ｂ、１９Ｃの形式とする。この実施例の構成によれば、本実施例では、ホルダー取付バー４Ａと商品ハンガーバー４Ｂは、Ｕ字状に一体に成形したため、ホルダー取付バー４Ａの長さは一定であるので、ホルダー取付バー４Ａの先端部分を商品ハンガーバー４Ｂの長さに応じてカードキャリア１０がホルダー取付バー４Ａと商品ハンガーバー４Ｂの双方に係合可能になるように、前記溝孔１９Ａ、１９Ｂ、１９Ｃのいずれかに圧入することができる。
【００２３】
図６及び図７に図示するフック１では、ホルダー取付バー４Ａと商品ハンガーバー４Ｂとを別個のバーとして設けた場合を示す。この実施例においては、商品ハンガーバー４Ｂの長さは、種々（通常は３種類）あるので、カードキャリア１０がホルダー取付バー４Ａと商品ハンガーバー４Ｂの双方に係合可能になるように、ホルダー取付バー４Ａの長さを可変自在としたものである。すなわち、図６に示す実施例では、ホルダー取付バー４Ａと商品ハンガーバー４Ｂが貫通する摺動筒体２２を設け、連結バー２３を介して両筒体２２を連結したものである。これによれば、商品ハンガーバー４Ｂの長さに応じてホルダー取付バー４Ａを筒体２２内で摺動させて所望の長さに設定し、その状態でネジ２４止めしてカードキャリア１０をホルダー取付バー４Ａと商品ハンガーバー４Ｂの双方に係合可能になるようにしたものである。
【００２４】
次に、図７に示す実施例では、商品ハンガーバー４Ｂは平面Ｕ字状の形態としたものであり、他の構成は前記図６に示す実施例と同様に構成したものである。すなわち、ホルダー取付バー４Ａの摺動筒体２２とを連結する部品は、商品ハンガーバー４Ｂの形状に応じてその両端に半円形の摺動空間を有する２枚の平板状の板体２５として構成し、この板体２５を上下から密着させて摺動筒体２２をホルダー取付バー４Ａの長さ方向に沿って移動可能にしたものである。その作用は前記図６に示すものと同様である。
【産業上の利用可能性】
【００２５】
本発明に係るフック用カードホルダーによれば、商品を販売する店舗に設けた商品陳列用フックに引っ掛け、多品種の吊り下げ可能な商品パッケージを、商品毎に多量に販売する店舗ディスプレイに利用することができる。
【図面の簡単な説明】
【００２６】
【図１】本発明の第１実施例のフク用カードホルダーの使用状況を示す説明図である。
【図２】本発明の第１実施例のカードホルダーにおける取付ピースを示す説明図であり、（ａ）は平面図、（ｂ）は側面図、（ｃ）は一部断面とする側面図、（ｄ）は後方から見た端面図、（ｅ）は底面図である。
【図３】本発明の第１実施例のカードホルダーにおけるカードキャリヤの説明図であり、（ａ）は側面図、（ｂ）は後方から見た端面図、（ｃ）は前方から見た正面図、（ｄ）は底面図である。
【図４】本発明の第１実施例の取付ピースとカードホルダーとを組み合わせた状態の説明図であり、（ａ）は側面図、（ｂ）は後方から見た端面図、（ｃ）は底面図、（ｄ）は前方から見た前面図である。
【図５】本発明の第２実施例のカードホルダーを示し、（ａ）はばね力に抗する力を加えない状態、（ｂ）はばね力に抗する力を加えてカードホルダーをＰの方向に回動した状態を示す説明図である。
【図６】本発明に係るホルダー取付バーと商品ハンバーガーとを別個に構成した実施例を示す斜視図である。
【図７】図６と同様のホルダー取付バーと商品ハンバーガーとを別個に構成した他の実施例を示す斜視図である。
【符号の説明】
【００２７】
１    フック（第１実施例）
２    商品陳列用ハンガーネット
３    ベース部材
４    ダブルバー支持部材
４Ａ    ホルダー取付バー
４Ｂ    商品ハンガーバー
５    カードホルダー
６    商品パッケージ
７    取付ピース
７Ａ    本体部分
７Ｂ    テール部
７Ｃ    取付軸
８    二股アーム部
９    角度付き挿入孔
１０    カードキャリヤ
１０Ａ  取付ピース包囲部分
１０Ｂ  カード保持プレート部分
１１    開口
１２    切欠き
１３    枢軸
１４    ねじりばね
１５    透明ポケット
１６    切欠き
１７    取付ピース
１９    角度付き挿入孔
２２    摺動筒体
２３    連結バー
２４    ネジ
２５    平板状の板体
【図１】
2005261790.tif 000003
【図２】
2005261790.tif 000004
【図３】
2005261790.tif 000005
【図４】
2005261790.tif 000006
【図５】
2005261790.tif 000007
【図６】
2005261790.tif 000008
【図７】
2005261790.tif 000009